(57)【要約】【課題】輸送、保管等の取り扱いが容易で、簡便に包装、開梱でき、再使用にも適している包装体の提供。【解決手段】断面が四角形で両端が開口している筒状の包装体であって、開口部付近における角部が対向する角部方向に向けて凸になるように折り込まれた折り込み部を、好ましくは、両端の前記開口部付近の角部全てに有することを特徴とする包装体である。【選択図】図１
2009137619.tif 000002
【特許請求の範囲】
【請求項１】
断面が四角形で両端が開口している筒状の包装体であって、開口部付近における角部が対向する角部方向に向けて凸になるように折り込まれた折り込み部を有することを特徴とする包装体。
【請求項２】
両端の前記開口部付近の角部全てに、前記折り込み部を有することを特徴とする請求項１に記載の包装体。
【請求項３】
同一の開口部側の隣り合う前記折り込み部を含む側面における、前記隣り合う折り込み部の間に、前記側面の一部を内側に折り込んだ補助ストッパを設けたことを特徴とする請求項１又は２に記載の包装体。
【請求項４】
前記補助ストッパを挟む前記隣り合う折り込み部の折り込み代の長さは、前記側面の長さの１／３以下であることを特徴とする請求項１又は２に記載の包装体。
【請求項５】
前記折り込み部の一方の折り込み代の長さが、側面の長さの１／２以上であることを特徴とする請求項１又は２に記載の包装体。
【請求項６】
同一の開口部側の隣り合う前記折り込み部と包装された被包装物との間に挟持されるスペーサを備えたことを特徴とする請求項１〜３のいずれか一項に記載の包装体。
【請求項７】
断面が四角形で両端が開口している筒状の包装体であって、開口部付近における角部に開口部に略平行に切り込みを設け、前記角部を対向する角部方向に向けて凸になるように折り込んで折り込み部を形成することができるようにしたことを特徴とする包装体。
【請求項８】
前記角部の折り込み部に開口部側への折り込み用の折り目を設けたことを特徴とする請求項７に記載の包装体
【請求項９】
段ボール紙製であることを特徴とする請求項１〜８のいずれか一項に記載の包装体。
【発明の詳細な説明】
【技術分野】
【０００１】
本発明は、包装体に関する。
【背景技術】
【０００２】
いろいろなものを包装するための包装体は、非常に多くの形態がある。その中でも、ある程度の大きさを持つ被包装物を包装して輸送や保管するには、包装体を直方体とすることが便利である。直方体であれば、パレット等への積載や積載したままでの輸送や保管が容易で、荷崩れなども起こし難い。その他にも、用途に応じた非常に多くの包装体が知られている。これらの中でも、通常の直方体の段ボール箱や、比較的簡単な構造の包装容器が各種報告されている。
【０００３】
例えば、特許文献１には、輸送、荷扱い時の強度が高く、四角形断面以外の製品を保持でき、製品ひとつひとつの分割作業が容易な梱包材が開示されている。この梱包材は、図７に示すように、１枚のシートで略四角形断面に巻いたもので、その内、一側面はシートを２重にして補強し、内側には断面が上面と同じ長さの底面を持つ台形のパッド（製品の固定部材）を備えている。そして、四角形断面に巻いた梱包材は、長手方向に複数の製品をパッドを挟んで並べて収納可能であり、ひとつずつの製品を梱包したまま分割できるように梱包材の断面に沿ってミシン目が入れてある。
【０００４】
特許文献２には、物品グループ（複数の個別パック）を収納するためのトレイパックが開示されている。このトレイパックは、図８に示すように、複数の個別パックを収納するものであり、上部が開いており、背の低い長手方向壁と横断壁とを有する。そして、コーナー部には、個別パックと同じ高さの、断面に角度を付した直立コーナー支持部材を設けている。底部は、長手方向壁と横断壁との欠落部分に対応する形状にしており、一枚の連続材料から連続的にトレイパックのウェブを製造するときに、省材料的な設計になっている。
【０００５】
特許文献３には、シート状用紙に折り目を付けて、異形状の異種瓶類容器の、高さの異同、径の異同に簡単に対処できる筒状梱包材が開示されている。この筒状梱包材は、図９に示すように、背面板、底面板、正面板、上面板を、一枚のシート用紙を四角い筒状に巻くようにして形成し、背面板と正面板の端部を貼り合わせてある。背面板の上部には、さらにひさし状の天板が付いており、底部には被梱包物である瓶類の係止用の折り込みが形成されている。上面板には、瓶類の首部を係止するための首部挿嵌孔を備えている。この首部挿嵌孔の形状と底部の折り込みの位置を調整することにより、異形の瓶類を同じ梱包材で梱包することができる。
【０００６】
特許文献４には、包装材コストを削減し、収納物の一部を外部から観察できる包装用箱が開示されている。この包装用箱は、図１０に示すように、通常の段ボール箱の底面と上面に相当する開け閉めのできる部分のフラップを短くして開口を設け、これを側面としたものである。そして、この包装用箱には、２箇所にミシン目によるジッパー部が形成されており、開梱を容易にしている。
【０００７】
特許文献５には、缶ビールなどの複数の容器をブランク板で包装したマルチパック包装体に情報掲示板をセットしたものが開示されている。この情報掲示板付きマルチパック包装体は、図１１（ａ），（ｂ）に示すように、マルチパック包装体の上部に、情報掲示板係止用の折り込みを入れるとともに、この折り込み部に係止されるような係止部を備えた情報掲示板を着脱自在に取り付けてある。
【特許文献１】特開２００１−１６３３２５号公報
【特許文献２】特開２０００−０４３８４５号公報
【特許文献３】特開平０９−２４０６５４号公報
【特許文献４】特開２００７−１３７４６０号公報
【特許文献５】特開２００３−３４１７１８号公報
【発明の開示】
【発明が解決しようとする課題】
【０００８】
上述のように、各種の包装体が報告されており、特に、段ボール紙などの紙製の包装体は、内容物の強度を利用しながら用途に合わせて外装を施しているものが多い。これらの包装体においては、包装体としての輸送や保管等の取り扱い性については十分考慮されているものの、内容物の出し入れ、特に取り出しにおける利便性を考慮したものは少ない。さらに、包装体の再使用を前提として、内容物の取り出しの利便性まで配慮しているものは、ほとんど見あたらない。
【０００９】
例えば、通常の直方体の段ボール箱で説明すれば、内容物が段ボール箱にきっちり収まっていると、内容物の剛性が段ボール箱の強度を補強し、段ボール箱ごとの輸送や多層積みなどの取扱には便利であるが、内容物である直方体の筺体や商品を段ボール箱に収納したり、段ボール箱から取り出したりする作業に手間取ることが多い。特に、段ボール箱の開口面にぴったり収まる断面を持つ箱や板状の内容物は、取り出すのに苦労することが多い。この為、段ボール箱を破壊して再使用できなくすることも多いし、段ボール箱は破壊して再使用しないことを前提としている包装体が多い。
【００１０】
上述のように、内容物である箱状や板状などの被包装物を段ボール箱のような包装体で包装し、輸送や保管などをする場合、段ボール箱の強度はそれほど要求されないが、内容物を容易に収納、取り出しできることは重要な課題である。このような問題は、通常の段ボール箱以外の容器においても同じである。特に、通常の段ボール箱のような直方体の箱でない場合は、再使用可能なものは少なく省資源の観点からも問題である。
【００１１】
本発明の目的は、上記課題を踏まえ、輸送、保管等の取り扱いが容易で、簡便に包装、開梱でき、再使用にも適している包装体を提供することである。
【課題を解決するための手段】
【００１２】
上記課題を解決するため本発明者等は、以下の発明を完成した。  
本発明は、断面が四角形で両端が開口している筒状の包装体であって、開口部付近における角部が対向する角部方向に向けて凸になるように折り込まれた折り込み部を有することを特徴とする包装体である。
【００１３】
好ましい本発明は、両端の前記開口部付近の角部全てに、前記折り込み部を有することを特徴とする前記包装体である。
【００１４】
好ましい本発明は、同一の開口部側の隣り合う前記折り込み部を含む側面における、前記隣り合う折り込み部の間に、前記側面の一部を開口部側に折り込んだ補助ストッパを設けたことを特徴とする前記包装体である。
【００１５】
好ましい本発明は、前記補助ストッパを挟む前記隣り合う折り込み部の折り込み代の長さは、前記側面の長さの１／３以下であることを特徴とする前記包装体である。
【００１６】
好ましい本発明は、前記折り込み部の一方の折り込み代の長さが、側面の長さの１／２以上であることを特徴とする前記包装体である。
【００１７】
好ましい本発明は、同一の開口部側の隣り合う前記折り込み部と包装された被包装物との間に挟持されるスペーサを備えたことを特徴とする前記包装体である。
【００１８】
本発明は、断面が四角形で両端が開口している筒状の包装体であって、開口部付近における角部に開口部に略平行に切り込みを設け、前記角部を対向する角部方向に向けて凸になるように折り込んで折り込み部を形成することができるようにしたことを特徴とする包装体である。
【００１９】
好ましい本発明は、前記角部の折り込み部に開口部側への折り込み用の折り目を設けたことを特徴とする前記包装体である。
【００２０】
好ましい本発明は、段ボール紙製であることを特徴とする前記包装体である。
【発明の効果】
【００２１】
本発明によれば、輸送、保管等の取り扱いが容易で、簡便に包装、開梱でき、再使用にも適している包装体を提供することができる。
【発明を実施するための最良の形態】
【００２２】
本発明を実施するための最良の形態を必要に応じて図面を参照にして説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明の好ましい形態における例であって、この特許請求の範囲を限定するものではない。
【００２３】
（実施形態１）
本発明の実施形態１の包装体は、断面が概略四角形で両端が開口している筒状であって、開口部付近における角部が対向する角部方向に向けて凸になるように折り込まれた折り込み部を有する。この折り込み部は、開口部側から見たときに略長方形の断面の２辺のみを有することになる。通常は、両端の開口部付近の合計８箇所の角部全てに、折り込み部を有するが、場合よっては、一部の角部だけに折り込み部があってもよい。包装体の用途、目的によって選ぶことができる。また、それぞれの折り込み部の配置（後述の折り込み部の係止位置の開口部からの距離）についても調整できるが、通常は、同じ開口部に配置する折り込み部は、包装物を係止する包装体内部側の端部である係止部が筒状の包装体の開口部と平行な断面上にそろっていることが好ましい。
【００２４】
本発明の包装体の斜視図を図１に示す。また、この包装体の正面図及び側面図を図２，図３に示す。図１〜３を参照にしながら説明すると、この包装体１は通常の直方体の段ボール箱等と類似の外観をしている。但し、６面体の対向する２面は開口している。そして、この開口部を側面として使用することが多い。この開口部から被包装物である内容物が出し入れされる。図１，２に示す例おいては、図２に示すように、この包装体１の内部断面を上下に折半した大きさを持つ矩形箱状の被包装物４ａ，４ｂが積層して包装されている。一方の開口部（図２の正面側）付近の４箇所の角部について説明すると、この包装体１は、側面の折り返し部に相当する部分が断面方向（開口部と平行な方向）に切断されており、その切断部の側面が内側に９０度折り返され、包装体の稜付近の折り返し部分が対向する角部の方向へ凸になるようになって折り込み部３ａ，３ｂ，３ｃ，３ｄが形成されている。図２の正面図で見ると、この折り返し部と側面とを見ると略長方形になっている。図１，図３から判るように、他方の開口部における４箇所の角部にも同じように４個の折り込み部３ｅ，３ｆなどが形成されている。
【００２５】
この包装体は、包装体材料２としてどのような材料を用いてもよいが、通常使用される箱形の包装体材料として適当な弾性と剛性及び強度があるシート状の材料が好ましい。具体的な包装体材料２としては、例えば、段ボール紙、厚紙、プラスチックシート、金属板などが上げられる。これらの中でも、段ボール紙や厚紙は、弾性と剛性及び強度、可撓性などの物性のバランス、加工性、材料コスト、廃棄物としての処理、再生の容易性などの面から優れた材料である。
【００２６】
この包装体１への被包装物の出し入れについて説明する。この包装体の使用前の形態は、角部に形成されている折り込み部３ａ，３ｂ，３ｃ，３ｄ，３ｅ，３ｆなどを折り込まない状態の包装体である。但し、使用前の包装体は、折り込み部３ａ，３ｂ，３ｃ，３ｄ，３ｅ，３ｆなどに相当する部分の、包装体側面の切断部には切り込みが入っていて、折り込み部に相当する部分の稜の部分を対向する角部に向かって押圧すれば、側面の一部が開口部側に折れ曲がって折り込み部が形成される構造になっている。なお、この側面の開口部側に折れ曲がる部分に、事前にミシン目等の折り目を形成しておくと、折り込みが容易であるだけでなく正確な折り込みがし易い。
【００２７】
この使用前の包装体に被包装物を収納するときは、まず一方の開口部の角部の稜の部分を対向する角部に向かって押圧して、折り込み部を形成する。この場合、図１に示すように、一方の開口部に折り込み部が４箇所想定されていれば、４箇所とも折り込み部を形成することが好ましい。そして、折り込み部を形成していない側の開口部から、被包装物４ａ，４ｂを包装体１の中へ挿入する。被包装物４ａ，４ｂを包装体１の中へ挿入し終わったら、被包装物４ａ，４ｂを挿入した側の開口部における折り込み部を想定されている角部を押圧して、折り込み部を形成する。折り込み部には、事前に折り目にミシン目等を入れておき、折り込みやすくしておくことが好ましい。
【００２８】
被包装物の長さが事前に分かっている場合には、被包装物の長さに合わせて包装体の折り込み部の側面長さ方向の位置、特に切断部の位置を調整しておけば、被包装物を包装体内部でぴったり納めることができる。このようにすると、包装体の輸送や取り扱いにおける荷崩れや内容物の破損等を防ぐことができる。
【００２９】
被包装物を包装体から取り出す時は、少なくとも一方の開口部の折り込み部を折り込む前の状態にして、すなわち開口部を四角形の筒状の側面と同じ面となるような状態にして取り出し口として、ここから被包装物を取り出せばよい。この際、包装体の筒状部を水平状態から取り出し口とした開口部を下側にして斜めに傾ければ、被包装物が包装体から自然に滑り出てくる。このとき、被包装物が包装体の筒状部にぴったり収まっていても、反対側の開口部から包装体内へ空気が自由に侵入できるので、通常の段ボール箱のように底部と被包装物との間隙が減圧状態になることがなく、被包装物の滑り出しがスムーズに行える。また、被包装物の表面性状によっては、自然に滑り出すことが困難な場合があるが、取り出し口の反対側の開口部から被包装物を押圧して、容易に取り出すこともできる。この押圧の力下限や、傾斜のさせ方によって、被包装物の取り出し操作を調整することができる。
【００３０】
被包装物を取り出した包装体は、一方の開口部に折り込み部を形成したままで、すぐに新しく被包装物を収納して再利用できる。あるいは、折り込み部を形成したまま、又は折れ込み部を全て折り込む前の状態の筒状体に戻して、筒状体の２つの稜部分を押圧して押しつぶし、折り畳んだ２枚重ねの無端のシート状にして保管しておいてもよい。このような形態にしておけば、この包装体は保管や取り扱いが非常に便利である。
【００３１】
この包装体は、長方形のシートの全ての部分を使用して製造することができ、切り取って除去する部分がない。すなわち、この包装体は、包装体材料としては四角形筒状体の４つの側面と側面の端部同士を接合する糊代分の長方形のシートがあればよい。大量にこの包装体を製造する場合は、長尺のシートを無駄なく裁断して製造できる。
【００３２】
製造方法としては、包装体材料のシートから、４つの側面が順に形成されるように配置し、最後の側面の端部に糊代を設けた配置とすることが好ましい。それぞれの側面と糊代の境界にミシン目等の折り目を付けて折り込み、最初の側面端部と糊代を接合して四角形筒状体を作る。さらに、開口部の角部に折り込み部を形成するための、折り込み部に対応する位置に切り込みと折り込み部用の折り目を形成すればよい。この切り込みと折り込み部用のミシン目は、側面の境界に折り目を付ける際に行ってもよい。このようにすれば、シート材料も無駄なく利用でき、製造工程も非常に簡単で短い。また、シート材料の選択にも制限が少ない。
【００３３】
（実施形態２）
上述の実施形態１の包装体に収納する被包装物は、図２に示す長方形筺体などのように、被包装物が包装体に収納された状態を開口部側から見たときに、この包装体の断面に隙間なく収まる形状で、この包装体の折り込み部に係止されることにより開口部から出てこないように、それぞれの被包装物の一部が折り込み部に係止されやすい形状のものが好ましい。特に、開口部に面している部分が上述の形状であることが好ましい。図１、図２に示した例では、２つの筺体の被包装物４ａ，４ｂが開口部の断面にきっちり収まる形態であり、それぞれ被包装物４ａは左右の折り込み部３ａ，３ｂにより、被包装物４ｂは、左右の折り込み部３ｃ，３ｄにより係止されている。
【００３４】
しかし、被包装物が比較的小さく、例えば、図４（ａ）に示すように、開口部に面している中央の被包装物４ｃのように折り込み部３ａ，３ｂ，３ｃ，３ｄのいずれにも係止される部分がない場合がある。このような場合、図２に示した状態の包装体では、被包装物の輸送やパレット積みなどの取扱中に、包装体が傾いたりすると被包装物４ｃは開口部から飛び出してくる恐れがある。
【００３５】
実施形態２の包装体は、図４（ａ）の正面図に示すように、同一の開口部側の隣り合う折り込み部を含む側面における、その隣り合う折り込み部の間に、側面の一部を内側に折り込んだ補助ストッパ５ａ，５ｂを設けている。この補助ストッパ５ａ，５ｂは、図４（ｂ）の側面図に示すように、側面の隣り合う折り込み部（例えば、折り込み部３ｂ，３ｃ）の中間に位置し、補助ストッパ形成用の折り目を付けて、その折り目から開口部の反対側に向けて略半円形に切り込みを入れて、折り目を包装体の内側に折り込んで舌状の形態（例えば、補助ストッパ５ｂ）としている。この補助ストッパ５ａ，５ｂは、図４（ａ）に示すように、開口部中央に位置する被包装物４ｃを係止することができる。
【００３６】
図４（ａ）、４（ｂ）に示す例では、補助ストッパはそれぞれの開口部に２つずつ設けてあるが、補助ストッパの数にこだわる必要はない。必要であれば、図４（ａ）における開口部の上下方向にも設けてもよいし、１つの側面に多数の補助ストッパを設けてもよい。また、包装体全体として１つしか必要がない場合は１つの補助ストッパを設けるだけでもよい。
【００３７】
また、補助ストッパの形状は、半円形の他に、四角形、三角形、半楕円形、その他のどのように形状でもよい。補助ストッパの大きさも、係止される被包装物の大きさや重さ係止の重要性などによって調整すればよい。なお、この実施形態の包装体における包装材料は、補助ストッパの剛性を維持するため、比較的剛性や強度の高い金属シートやプラスチックシート、段ボール紙とすることが適している。
【００３８】
実施形態１及び２の包装体は、段ボール紙や厚紙で作成する場合には、折り込み部３ａ，３ｂ，３ｃ，３ｄ，３ｅ，３ｆ等の折り込み代の大きさがあまり大きくならないことが好ましい。折り込み代とは、折り込み部で筒状の包装体の側面が折り込まれる側面部分であったところの包装体断面方向の長さであり、それぞれの折り込み部の折り込み代は、その折り込み部が形成されたもとの側面全体の長さの１／３以下の長さであることが好ましい。例えば、図２の正面図で説明すれば、包装体の左側面の上下の長さに対して、折り込み部３ａの折り込み代、すなわち図２における折り込み部３ａの上下の長さが、１／３以下であることを言う。なお、左右方向の折り込み代についても同じである。実施形態１においては、折り込み部の強度の関係から折り込み代の大きさに上限を設けることがあるが、実施形態２においては、むしろ補助ストッパと係止作用を分担することを期待して折り込み部の折り込み代を小さくしている。
【００３９】
（実施形態３）
実施形態３の包装体は、図５の正面図に示すように、折り込み部の一部の折り込み代の長さを側面の長さの１／２以上とした形態である。この場合は、実施形態２に示した補助ストッパを設ける代わりに、折り込み部の一部の折り込み代（例えば、折り込み部３ａの左側側面の折り込み代）を長くして、側面の半分以上の長さとしている。このようにすれば、少なくともこの側面において中央部にある被包装物は、この折り込み部により係止される。
【００４０】
（実施形態４）
実施形態４の包装体は、図６の正面図に示すように、スペーサ５ａ，５ｂを備えている。スペーサ５ａ，５ｂは、それぞれ折り込み部３ａ，３ｂ及び折り込み部３ｃ，３ｄと被包装物との間に配置されている。このスペーサ５ａ，５ｂは、開口部の中央部付近にあって、折り込み部３ａ，３ｂ，３ｃ，３ｄのいずれにも係止されていない被包装物を係止する機能を持っている。図６に示す例では、スペーサを左右側面に２枚配置しており、上下の側面には配置していないが、左右に変えて、又は左右に加えて上下にスペーサを配置してもよい。また、スペーサの幅は目的に応じて調整すればよく、最大の時は、一枚のスペーサが開口部全体を覆うように配置してもよい。スペーサは、透明板や格子状板、網目状板等の内部が観察できるように材料を用いてもよい。通常は、段ボール紙や厚紙等包装体本体と同じ素材とすることが多い。
【産業上の利用可能性】
【００４１】
本発明の包装体は、通常使用されている直方体の段ボール箱で包装していた各種の物品、特に比較的大きな直方体の商品や直方体の容器に収まった物品を、１つ又は複数個包装して輸送、保管等をする手段として便利である。本発明の包装体は、開口部があるので開梱することなく内部の状況を観察することができ、直方体であるので、従来の段ボール箱等と同じように、特に緊縛することもなく、パレットに多層積みして輸送したり保管したりすることもできる。また、収納した物品の取り扱い、特に取り出しが簡単で、包装体を破損することなく内容物を取り出せる。また、物品を取り出した後、この包装体自身をほとんどワンタッチで平面四角板状にすることができ、包装体の保管や輸送、取り扱いも容易である。さらに、物品の取り出しが容易なことから、取り出し時に被包装物を破損することもなく、この包装体の再使用がし易く、省資源の上からも好適である。この包装体の製造工程においても、原材料となるシートの無駄がほとんどなく、製造工程も短く、非常に低コストで製造が可能である。
【図面の簡単な説明】
【００４２】
【図１】本発明の包装体の斜視図
【図２】本発明の包装体の正面図
【図３】本発明の包装体の側面図
【図４】本発明の包装体の変形例（１）  （ａ）は正面図、（ｂ）は側面図である。
【図５】本発明の包装体の変形例（２）の正面図
【図６】本発明の包装体の変形例（３）の正面図
【図７】従来の梱包材の斜視図
【図８】従来のトレイパックの斜視図
【図９】従来の筒状容器包装体の斜視図
【図１０】従来の包装用箱の斜視図
【図１１】従来の情報掲示板付きマルチパックの斜視図  （ａ）は情報掲示板取り付け前、（ｂ）は情報掲示板取り付け後の図である。
【符号の説明】
【００４３】
１：包装体
２：段ボール紙（包装体材料）
３ａ，３ｂ，３ｃ，３ｄ，３ｅ，３ｆ：折り込み部
４ａ，４ｂ：被包装物（筺体）
５ａ，５ｂ：補助ストッパ
６ａ，６ｂ：スペーサ
【図１】
2009137619.tif 000003
【図２】
2009137619.tif 000004
【図３】
2009137619.tif 000005
【図４】
2009137619.tif 000006
【図５】
2009137619.tif 000007
【図６】
2009137619.tif 000008
【図７】
2009137619.tif 000009
【図８】
2009137619.tif 000010
【図９】
2009137619.tif 000011
【図１０】
2009137619.tif 000012
【図１１】
2009137619.tif 000013